(57)【要約】【課題】１つの手袋サイズで、小さい又は大きい手、太い又は細い手の部位等にかかわらず手袋内面が手に密着するマルチフィット性を実現する薬剤手袋を提供する。【解決手段】２枚のシート１０，１０を貼り合せてなる手袋１であって、該シート１０，１０の少なくとも１枚は、不織布層１２と薬剤処理した樹脂フィルム層１４からなり、手袋内面に易剥離部１８を線状あるいは点状または格子状に設けて構成されている。また指を区画する内接着部２０が設けられており、易剥離部１８は、貼り合せた手袋の外側から熱や超音波等の発生端子を当接させて形成される。【選択図】　　図１
2004143610.tif 000002
【特許請求の範囲】
【請求項１】
２枚のシートを貼り合せてなる手袋であって、該シートの少なくとも１枚は、不織布層と薬剤処理した樹脂フィルム層からなり、該手袋内面に易剥離部を線状あるいは点状または格子状に設けてなる薬剤手袋。
【請求項２】
２枚のシートを貼り合せてなる手袋であって、該シートは、不織布層と樹脂フィルム層とからなり、該手袋内面に易剥離部を線状あるいは点状または格子状に設けてなる手袋。
【請求項３】
指を区画する内接着部を設ける請求項１又は２に記載の薬剤手袋。
【請求項４】
２枚のシートを貼り合せてなる手袋であって、少なくとも１枚のシートは、不織布層と樹脂フィルム層とからなり、貼り合せた手袋の外側から熱や超音波等の発生端子を当接させて易剥離部を形成させる易剥離部の製造方法。
【発明の詳細な説明】
【０００１】
【発明の属する技術分野】
本発明は、手に対する密着性の高い手袋に関する。特に、手の大小にかかわらず、密着可能な薬剤手袋に関する。
【０００２】
【従来の技術】
保湿成分を具備する不織布からなる手袋が開示されている（例えば、特許文献１参照）。
【０００３】
【特許文献１】
特開２００１−６４８０９号公報
【０００４】
【発明が解決しようとする課題】
一般的に手の大きさには個人差がある。しかし、前記手袋は不織布を貼り合せてなる手袋であるので、手袋の大きさや形が固定化されてしまい、手の大小あるいは指の長短、掌の厚み等によって、改善したい手荒れの部位、例えば指先、指の股、手の甲等と手袋内面との間に隙間を生じてしまい、改善したい手の部位と薬剤層面との接触機会あるいは接触確率の減少を招く。
【０００５】
また、不織布を用いた手袋で、手と薬剤層面の接触のフィット性を実現する場合、サイズ毎に手袋の準備が必要で、手袋の生産、流通、販売過程で過大な負荷がかかることとなる。
さらに、前記手袋は改善したい手の部位に手袋を密着させるための手段を有しないため、改善したい手の部位と手袋内面との間に隙間を大きく生ずることで手袋内面の薬剤成分を改善したい手荒れの部位に直接接触させて薬効を作用させることが不十分であり、使用者に対し薬剤が改善したい手の部位に付着していないという不安感も与えることがある。
【０００６】
【課題を解決するための手段】
そこで本願は、２枚のシートを貼り合せてなる手袋であって、該シートの少なくとも１枚は、不織布層と樹脂フィルム層と薬剤層とからなり、該手袋内面に易剥離部を線状あるいは点状または格子状に設けてなる薬剤手袋によって、前記課題を解決した。
【０００７】
【発明の実施の形態】
本発明の薬剤手袋は、図１と図２（ａ），（ｂ）のように２枚のシート１０，１０を周縁部で貼り合せ、下部に開口部を形成している手袋であって、手に装着することで手袋内面の薬剤層１６によって、手荒れ等の改善を図る手袋をいう。
手袋を構成する１枚のシートは、図２（ａ）の断面図のように、最外層に不織布１２、中間に樹脂フィルム層１４、最内層に薬剤層１６を配置した３層構造である。
【０００８】
樹脂フィルム層１４は、不織布１２の上に樹脂フィルムを載せて加熱圧着させて得ることができるが、接着剤による積層、又は不織布の上に溶融樹脂を塗工し積層させてもよい。
該樹脂フィルム層１４は、易剥離部１８の形成しやすさから、ポリエチレン、ポリプロピレン等が用いられる。
手袋内側の薬剤は、樹脂フィルム層１４の上に塗工で薬剤を積層させ形成できる。
また、薬剤を樹脂フィルム層１４中に含浸させて、経時的に薬剤が移行して薬剤層１６を形成させてもよい。
【０００９】
本発明は、手袋内面に手と手袋内面とを密着させる易剥離部１８を設ける。
該易剥離部１８の形成方法は、貼り合せた薬剤手袋１の外側から熱や超音波等の発生端子を当接させることで、該薬剤手袋１の被当接部の樹脂フィルム層同士が融着し、その後固化して当該易剥離部１８を形成させる。
一方、前記発生端子を当接しない部分は、２枚のシート１０，１０が元々離れている状態であるため薬剤処理した樹脂フィルムから手や指に薬剤が接触移行される。
【００１０】
易剥離部１８は、薬剤手袋１に手を挿入することで２枚のシート１０，１０を離間させる力が加わった際に容易に剥離する部位である。
【００１１】
易剥離部１８は、図３（ａ）〜（ｃ）のように線状あるいは点状または格子状に設けることもできる。易剥離部１８は、前記熱や超音波等の当接による樹脂フィルム層１４の融着固化によって形成できるため、熱や超音波等の１つの発生端子を移動することで線状あるいは点状または格子状に設ける。あるいは、複数の発生端子又は所定の形状に設けた発生端子によって１度に線状あるいは点状または格子状に設けることもできる。
【００１２】
また、前記薬剤手袋１に、指を区画させる内接着部２０を設けることもできる。ここで、指を区画させる内接着部２０とは、指を区画する内接着部２０をいい、手や指の挿入によって剥離せずに２枚のシート１０，１０を固定する。
このため手の挿入による易剥離部１８の過度な剥離が抑制されるため、手の各所に対してよりムラなく薬剤の接触による薬剤移行ができる。よって、手の各所と手袋内面との密着度をより高められる。
【００１３】
さらに他の態様として、前記薬剤手袋１の易剥離部１８は、文字、図形、記号、模様あるいは柄にて構成されていてもよい。薬剤手袋１の外観デザインの自由度を上げることにより手袋薬剤としての商品価値をより高められるからである。
【００１４】
前記工程によって作られた薬剤手袋１は、以下の作用効果がある。
（１）２枚のシート１０，１０が接着した状態の薬剤手袋１に手を挿入すると、点状あるいは線状または格子状の易剥離部１８が、手を挿入した部分及びその周囲において容易に剥離する。一方、２枚のシート１０，１０を離間させる力が働かない部分では剥離せずに接着状態を維持する部分が存在する。
【００１５】
よって、非伸縮性あるいは難伸縮性シートを貼り合せてなる大きさや形が固定化された手袋でも、手の大小あるいは指の長短、掌の厚み等による個人差によらず改善したい手荒れの部位、例えば指先、指の股、手の甲等と手袋内面との間に隙間が生じにくく、改善したい手の部位と薬剤との接触機会あるいは接触確率の減少を抑制できる。
【００１６】
従って、１つの手袋サイズで、手の大小あるいは指の長短、掌の厚み等による個人差によらず手袋内面が手に密着するマルチフィット性を実現し、サイズ毎の手袋の準備が不要になるから、手袋の生産、販売過程で過大な負荷を防止できる。
【００１７】
（２）また、使用者に対し薬剤が改善したい手の部位に付着していないという不安感を与えることがない。特に、手や指の側面、または指と指の間等、手袋内面と密着しにくい部位の対応する手袋に易剥離部１８を具備することから、薬剤が付着しやすくなり、これらの特定部位の手荒れ改善が図られる。
【００１８】
（３）本件手袋の手や指の側面、または指と指の間等、手袋内面と密着しにくい部位に、薬剤が付着しやすくなり、薬剤を適宜選定することにより、これらの特定部位について、かたい肌を柔らかくする、若しくは、かさかさする乾燥肌をしっとりさせる等の肌質改善、又はあかぎれ、ひび割れ等の手荒れ改善効果を高めることができる。
【００１９】
【発明の効果】
本発明は、１つの手袋サイズで、小さい又は大きい手、太い又は細い手の部位等にかかわらず手袋内面が手に密着するマルチフィット性を実現する。
また、サイズ毎の手袋の準備が不要のため、手袋の生産、販売過程で過大な負荷を防止できる。
さらに　改善したい手の部位に手袋を密着させるための易剥離部１８を有するため、改善したい手の部位と手袋内面との間に隙間または空間が小さく、手袋内面の薬剤成分を改善したい手の部位に直接接触させて薬効を作用できる。また、使用者に対し薬剤が改善したい手の部位に付着している、という安心感を与えられる。
特に、手や指の側面、または指と指の間の手袋内面と接触しにくい手の特定部位と手袋内面の薬剤部との接触機会が増える、あるいは接触確率が高くなることにより、手の特定部位に手荒れ改善のための薬効を作用させることができる。
【図面の簡単な説明】
【図１】薬剤手袋を示す正面図である。
【図２】薬剤手袋の構成を説明する（ａ）は部分斜視図、（ｂ）は部分断面図である。
【図３】（ａ）〜（ｃ）は、薬剤手袋の他の例を示す正面図である。
【符号の説明】
１　　薬剤手袋
１０　シート
１２　不織布
１４　樹脂フィルム層
１６　薬剤層
１８　易剥離部
２０　内接着部
【図１】
2004143610.tif 000003
【図２】
2004143610.tif 000004
【図３】
2004143610.tif 000005